(57)【要約】【課題】  ヒーターによるプラテンの加熱の効率を従来より向上することができるインクジェットプリンターを提供する。【解決手段】  インクジェットプリンターは、記録ヘッドによって吐出されるインクが付着される記録媒体を支持するための支持面３１ａと、支持面３１ａに開口している複数の貫通孔３１ｂとを形成しているプリントプラテン３１と、プリントプラテン３１を加熱するプリントヒーター３２と、貫通孔３１ｂに対して支持面３１ａ側に存在する気体を貫通孔３１ｂを通して移動させる流れを生成するファン３３と、支持面３１ａの少なくとも一部を覆うことによって複数の貫通孔３１ｂの少なくとも一部を遮蔽することが可能であり、支持面３１ａを覆う面積を変更可能であるシート３４とを備えていることを特徴とする。【選択図】  図３
2015074090.tif 000002
【特許請求の範囲】
【請求項１】
インクを吐出する記録ヘッドと、前記記録ヘッドによって吐出されるインクが付着される記録媒体を支持するためのプラテンと、前記プラテンを加熱するヒーターと、気体の流れを生成するファンと、前記プラテンの少なくとも一部を覆うことが可能であるシートとを備えており、
前記プラテンは、前記記録媒体を支持するための支持面と、前記支持面に開口している複数の貫通孔とを形成しており、
前記ファンは、前記貫通孔に対して前記支持面側に存在する気体を前記貫通孔を通して移動させる前記流れを生成し、
前記シートは、前記支持面の少なくとも一部を覆うことによって前記複数の貫通孔の少なくとも一部を遮蔽することが可能であり、前記支持面を覆う面積を変更可能であることを特徴とするインクジェットプリンター。
【請求項２】
前記ヒーターは、前記貫通孔に対して前記支持面側とは反対側の位置であって前記貫通孔から出た気体が通る空間内に配置されていることを特徴とする請求項１に記載のインクジェットプリンター。
【請求項３】
前記シートを巻き取り可能である巻取部材と、前記巻取部材に取り付けられている前記シートが取り付けられていて前記プラテンに対して複数の位置で固定可能である固定部材とを備えていることを特徴とする請求項１または請求項２に記載のインクジェットプリンター。
【請求項４】
前記巻取部材を前記シートの巻き取り方向に付勢する付勢部材を備えていることを特徴とする請求項３に記載のインクジェットプリンター。
【請求項５】
前記固定部材は、前記記録媒体の搬送をガイドするガイド部材であることを特徴とする請求項３または請求項４に記載のインクジェットプリンター。
【発明の詳細な説明】
【技術分野】
【０００１】
本発明は、記録媒体を支持するための支持面と、この支持面に開口している複数の貫通孔とを形成しているプラテンと、この貫通孔に対してこの支持面側に存在する気体をこの貫通孔を通して移動させる流れを生成するファンとを備えているインクジェットプリンターに関する。
【背景技術】
【０００２】
従来のインクジェットプリンターとして、記録媒体である記録シートを収容するための収容トレイと、収容トレイにおいて記録シートの側端を規制するサイドガイドと、インクを吐出する記録ヘッドと、記録ヘッドによって吐出されるインクが付着される記録シートを支持するためのプラテンと、気体の流れを生成するファンである吸気ファンと、プラテンの少なくとも一部を覆うことが可能であるスライドシャッターと、スライドシャッターの先端部に取り付けられていて記録シートの端部がプラテンから浮き上がることを抑制するサイド押さえ具と、サイドガイドおよびスライドシャッターを連結することによってサイドガイドの直線運動をスライドシャッターに直接伝える連結アームとを備えているインクジェット記録装置が知られている（特許文献１参照。）。
【０００３】
特許文献１に記載されているインクジェット記録装置のプラテンは、記録シートを支持するための支持面である上面と、この上面に開口している複数の貫通孔である吸引孔とを形成している。
【０００４】
特許文献１に記載されているインクジェット記録装置の吸気ファンは、プラテンの吸引孔に対してプラテンの上面側に存在する気体を、この吸引孔を通して移動させる流れを生成するようになっている。
【０００５】
特許文献１に記載されているインクジェット記録装置のスライドシャッターは、プラテンの上面の少なくとも一部を覆うことによってプラテンの複数の吸引孔の少なくとも一部を遮蔽することが可能であり、プラテンの上面を覆う面積を変更可能であるようになっている。このスライドシャッターは、連結アームによって連結されているサイドガイドに連動することによって、記録シートの幅寸法に応じた位置でプラテンに対して固定されるようになっている。また、このスライドシャッターは、変形可能なフレキシブルな平板状の部材によって形成されている場合に、プラテンの端部から突出する範囲において例えば下方側に向けて曲げた状態で収容することが可能となっている。
【先行技術文献】
【特許文献】
【０００６】
【特許文献１】特開２０００−１５３６０４号公報
【発明の概要】
【発明が解決しようとする課題】
【０００７】
特許文献１に記載されているインクジェット記録装置は、プラテンを加熱するヒーターを備えていない。しかしながら、従来、プラテンを加熱するヒーターを備えているインクジェットプリンターが知られている。
【０００８】
記録媒体を支持するための支持面と、この支持面に開口している複数の貫通孔とを形成しているプラテンと、この貫通孔に対してこの支持面側に存在する気体をこの貫通孔を通して移動させる流れを生成するファンと、プラテンを加熱するヒーターとを備えているインクジェットプリンターにおいては、ヒーターによって加熱されたプラテンがファンによって生成された気体の流れによって冷却されるので、ヒーターによるプラテンの加熱の効率が悪いということに本願の発明者は着目した。
【０００９】
そこで、本発明は、ヒーターによるプラテンの加熱の効率を従来より向上することができるインクジェットプリンターを提供することを目的とする。
【課題を解決するための手段】
【００１０】
本発明のインクジェットプリンターは、インクを吐出する記録ヘッドと、前記記録ヘッドによって吐出されるインクが付着される記録媒体を支持するためのプラテンと、前記プラテンを加熱するヒーターと、気体の流れを生成するファンと、前記プラテンの少なくとも一部を覆うことが可能であるシートとを備えており、前記プラテンは、前記記録媒体を支持するための支持面と、前記支持面に開口している複数の貫通孔とを形成しており、前記ファンは、前記貫通孔に対して前記支持面側に存在する気体を前記貫通孔を通して移動させる前記流れを生成し、前記シートは、前記支持面の少なくとも一部を覆うことによって前記複数の貫通孔の少なくとも一部を遮蔽することが可能であり、前記支持面を覆う面積を変更可能であることを特徴とする。
【００１１】
この構成により、本発明のインクジェットプリンターは、プラテンの支持面のうち記録媒体が支持されていない部分（以下「媒体不支持部分」と言う。）がシートによって覆われることによって媒体不支持部分の貫通孔を遮蔽することが可能であるので、気体がファンによって媒体不支持部分の貫通孔を流通させられることを抑えることができる。したがって、本発明のインクジェットプリンターは、気体がファンによって媒体不支持部分の貫通孔を流通させられることによるプラテンの冷却を抑えることができ、結果として、ヒーターによるプラテンの加熱の効率を従来より向上することができる。
【００１２】
また、本発明のインクジェットプリンターにおいて、前記ヒーターは、前記貫通孔に対して前記支持面側とは反対側の位置であって前記貫通孔から出た気体が通る空間内に配置されていても良い。
【００１３】
この構成により、本発明のインクジェットプリンターは、プラテンの支持面側から貫通孔に入った気体が貫通孔から出る場合に気体が通る空間内にヒーターが配置されているので、プラテンの支持面側から貫通孔に入って貫通孔から出た気体がヒーターの近傍を通ることによって、ヒーター自体が気体によって冷却され易い。したがって、本発明のインクジェットプリンターは、貫通孔から出た気体が通る空間内にヒーターが配置されていない構成と比較して、ヒーターによるプラテンの加熱の効率の向上の利益が大きい。
【００１４】
また、本発明のインクジェットプリンターは、前記シートを巻き取り可能である巻取部材と、前記巻取部材に取り付けられている前記シートが取り付けられていて前記プラテンに対して複数の位置で固定可能である固定部材とを備えていても良い。
【００１５】
この構成により、本発明のインクジェットプリンターは、プラテンに対してシートが移動する場合にシートが巻き取られるので、シートが巻き取られないでプラテンに対して移動する構成と比較して、シートを収納するための空間を小型化することができ、結果として、インクジェットプリンター全体としても小型化することができる。
【００１６】
また、本発明のインクジェットプリンターは、前記巻取部材を前記シートの巻き取り方向に付勢する付勢部材を備えていても良い。
【００１７】
この構成により、本発明のインクジェットプリンターは、プラテンに対する固定部材の位置が変更されるだけで付勢部材の付勢力によって巻取部材にシートを自動的に巻き取らせることができるので、利用者が巻取部材にシートを手作業で巻き取らせる構成と比較して、利用者の負担を抑えることができる。
【００１８】
また、本発明のインクジェットプリンターにおいて、前記固定部材は、前記記録媒体の搬送をガイドするガイド部材であっても良い。
【００１９】
この構成により、本発明のインクジェットプリンターは、シートをプラテンに対して固定する機能と、記録媒体の搬送をガイドする機能との両方を固定部材が備えているので、記録媒体の搬送を固定部材にガイドさせるために記録媒体の幅に合わせて固定部材がプラテンに対して固定されるだけで、ヒーターによるプラテンの加熱の効率をシートによって向上することができる。
【発明の効果】
【００２０】
本発明のインクジェットプリンターは、ヒーターによるプラテンの加熱の効率を従来より向上することができる。
【図面の簡単な説明】
【００２１】
【図１】記録媒体を搬送している状態での本発明の一実施の形態に係るインクジェットプリンターの斜視図である。
【図２】図１に示すインクジェットプリンターの側面断面図である。
【図３】図１に示すインクジェットプリンターのプリントプラテンの近傍の部分の正面断面図である。
【図４】図１に示すインクジェットプリンターのプリントプラテンの近傍の部分の平面図である。
【図５】記録媒体を搬送している状態での図１に示すインクジェットプリンターのガイド部材の近傍の部分の斜視図である。
【図６】図１に示すインクジェットプリンターのブロック図である。
【図７】記録媒体を搬送している状態での図１に示すインクジェットプリンターのプリントプラテンの近傍の部分の正面断面図である。
【図８】記録媒体を搬送している状態での図１に示すインクジェットプリンターのプリントプラテンの近傍の部分の平面図である。
【発明を実施するための形態】
【００２２】
以下、本発明の一実施の形態について、図面を用いて説明する。
【００２３】
まず、本実施の形態に係るインクジェットプリンターの構成について説明する。
【００２４】
図１は、用紙などの記録媒体９０を搬送している状態での本実施の形態に係るインクジェットプリンター１０の斜視図である。
【００２５】
図１に示すように、インクジェットプリンター１０は、筐体１１と、筐体１１の下部に配置されていて矢印１０ａで示す主走査方向に直交する矢印１０ｂで示す副走査方向に記録媒体９０を搬送する搬送装置１２と、筐体１１の上部に配置されていてインクを貯留するタンク１３と、矢印１０ａで示す主走査方向に延在しているガイドレール１４と、矢印１０ａで示す主走査方向に移動可能にガイドレール１４に支持されているキャリッジ１５と、キャリッジ１５に搭載されていて記録媒体９０に向けてインクを吐出する記録ヘッド１６と、キャリッジ１５に搭載されていてタンク１３から記録ヘッド１６に供給されるインクの圧力を一定の範囲の負圧に調整する装置である圧力ダンパー１７とを備えている。
【００２６】
筐体１１は、ガイドレール１４、キャリッジ１５、記録ヘッド１６および圧力ダンパー１７を収納している。
【００２７】
インクジェットプリンター１０は、矢印１０ａで示す主走査方向に移動しない記録媒体９０に対してキャリッジ１５によって主走査方向に記録ヘッド１６を移動させて、記録ヘッド１６のノズルからインクを記録媒体９０に向けて吐出することによって、記録ヘッド１６による主走査方向の印刷を実行させる装置である。また、インクジェットプリンター１０は、矢印１０ｂで示す副走査方向に移動しない記録ヘッド１６に対して搬送装置１２によって副走査方向に記録媒体９０を搬送することによって、記録媒体９０に対する記録ヘッド１６の副走査方向における位置を主走査方向の印刷の終了の度に変更する装置である。
【００２８】
図２は、インクジェットプリンター１０の側面断面図である。
【００２９】
図２に示すように、インクジェットプリンター１０は、記録ヘッド１６に対して矢印１０ｂで示す副走査方向のうち記録媒体９０（図１参照。）の矢印１０ｃで示す搬送方向の上流側に配置されていて記録媒体９０を支持するためのプレプラテン２１と、記録ヘッド１６に対向する位置に向けて搬送される記録媒体９０を予熱するためにプレプラテン２１を加熱するプレヒーター２２と、記録ヘッド１６に対向する位置に配置されていて記録媒体９０を支持するための本発明のプラテンとしてのプリントプラテン３１と、記録ヘッド１６に対向する位置において記録媒体９０を加熱するためにプリントプラテン３１を加熱する本発明のヒーターとしてのプリントヒーター３２と、記録ヘッド１６に対して矢印１０ｃで示す搬送方向の下流側に配置されていて記録媒体９０を支持するためのアフタープラテン４１と、記録ヘッド１６に対向する位置から搬送されてきた記録媒体９０を加熱するためにアフタープラテン４１を加熱するアフターヒーター４２とを備えている。
【００３０】
プリントプラテン３１は、記録媒体９０を支持するための支持面３１ａと、支持面３１ａに開口している複数の貫通孔３１ｂとを形成している。
【００３１】
プレヒーター２２は、記録ヘッド１６によって吐出されたインクが記録媒体９０に付着された時点から早期に乾燥することができるように、記録ヘッド１６に対向する位置に向けて搬送される記録媒体９０を、プレプラテン２１を介して予熱する装置である。
【００３２】
プリントヒーター３２は、記録ヘッド１６によって吐出されたインクが記録媒体９０に付着された時点から早期に乾燥することができるように、記録ヘッド１６に対向する位置において記録媒体９０を、プリントプラテン３１を介して加熱する装置である。
【００３３】
アフターヒーター４２は、記録ヘッド１６によって吐出されて記録媒体９０に付着されているインクが確実に乾燥することができるように、記録ヘッド１６に対向する位置から搬送されてきた記録媒体９０を、アフタープラテン４１を介して加熱する装置である。
【００３４】
以上に説明したように、記録ヘッド１６によって吐出されて記録媒体９０に付着されたインクは、プレヒーター２２、プリントヒーター３２およびアフターヒーター４２によって生成された熱によって記録媒体９０上で早期および確実に乾燥させられて滲みが抑えられる。したがって、インクジェットプリンター１０は、記録媒体９０上にインクによって画像を高画質で形成することができる。
【００３５】
インクジェットプリンター１０は、プレヒーター２２が配置されている空間２０ａと、プリントヒーター３２が配置されている空間３０ａとを仕切る壁部材５１を備えている。また、インクジェットプリンター１０は、空間３０ａと、アフターヒーター４２が配置されている空間４０ａとを仕切る壁部材５２を備えている。また、インクジェットプリンター１０は、空間２０ａの底部を塞ぐ底部材５３と、空間３０ａの底部を塞ぐ底部材５４と、空間４０ａの底部を塞ぐ底部材５５とを備えている。
【００３６】
インクジェットプリンター１０は、底部材５４に取り付けられていて気体の流れを生成するファン３３を備えている。ファン３３は、空間３０ａ内の気体を吸い込んで空間３０ａ外に排出することによって空間３０ａ内の気圧を下げるようになっている。空間３０ａ内の気圧が下がると、プリントプラテン３１の貫通孔３１ｂに対して支持面３１ａ側に存在する気体は、貫通孔３１ｂを通って空間３０ａ内に移動する。すなわち、ファン３３は、プリントプラテン３１の貫通孔３１ｂに対して支持面３１ａ側に存在する気体を貫通孔３１ｂを通して空間３０ａ内に移動させる流れを生成するようになっている。
【００３７】
プリントヒーター３２は、空間３０ａ内に配置されている。すなわち、プリントヒーター３２は、プリントプラテン３１の貫通孔３１ｂに対して支持面３１ａ側とは反対側の位置であって、貫通孔３１ｂから出た気体が通る空間３０ａ内に配置されている。
【００３８】
図３は、インクジェットプリンター１０のプリントプラテン３１の近傍の部分の正面断面図である。図４は、インクジェットプリンター１０のプリントプラテン３１の近傍の部分の平面図である。
【００３９】
図３および図４に示すように、インクジェットプリンター１０（図１参照。）は、プリントプラテン３１の少なくとも一部を覆うことが可能であるシート３４と、シート３４を巻き取り可能である巻取部材としてのローラー３５と、ローラー３５をシート３４の巻き取り方向に付勢する付勢部材としてのゼンマイばね３６と、記録媒体の搬送をガイドするガイド部材３７とを備えている。
【００４０】
シート３４は、ローラー３５およびガイド部材３７に取り付けられている。シート３４は、プリントプラテン３１の支持面３１ａの少なくとも一部を覆うことによって複数の貫通孔３１ｂの少なくとも一部を遮蔽することが可能である。シート３４は、プリントプラテン３１に対するガイド部材３７の位置の変更に伴って、支持面３１ａを覆う面積を変更可能である。なお、シート３４の材質としては、例えば、樹脂、金属などが採用可能である。
【００４１】
ローラー３５は、矢印１０ｂで示す副走査方向に延在していて、筐体１１（図１参照。）に回転可能に支持されている。
【００４２】
ゼンマイばね３６は、ローラー３５内に収納されている。ゼンマイばね３６は、一端が筐体１１に固定されているとともに、他端がローラー３５に固定されている。
【００４３】
プリントプラテン３１は、矢印１０ａで示す主走査方向に延在している２本のガイド溝３１ｃが矢印１０ｂで示す副走査方向に離れて形成されている。ガイド部材３７は、プリントプラテン３１のガイド溝３１ｃに嵌っている図示していない突起を備えており、この突起がガイド溝３１ｃにガイドされることによって、矢印１０ａで示す主走査方向に移動させられることが可能である。ガイド部材３７は、プリントプラテン３１との間に生じる摩擦力によって、プリントプラテン３１に対して複数の位置で固定可能である。すなわち、ガイド部材３７は、本発明の固定部材を構成している。
【００４４】
図５は、記録媒体９０を搬送している状態でのインクジェットプリンター１０のガイド部材３７の近傍の部分の斜視図である。
【００４５】
図５に示すように、ガイド部材３７は、矢印１０ａで示す主走査方向における記録媒体９０の端の浮き上がりを抑えるための浮上抑え部３７ａを備えている。
【００４６】
図６は、インクジェットプリンター１０のブロック図である。
【００４７】
図６に示すように、インクジェットプリンター１０は、利用者による種々の操作が入力されるボタンなどの入力デバイスである操作部６１と、種々の情報を表示するＬＣＤ（Ｌｉｑｕｉｄ  Ｃｒｙｓｔａｌ  Ｄｉｓｐｌａｙ）などの表示デバイスである表示部６２と、ＰＣ（Ｐｅｒｓｏｎａｌ  Ｃｏｍｐｕｔｅｒ）などの外部の装置と通信を行う通信デバイスである通信部６３と、上述した搬送装置１２および記録ヘッド１６と、キャリッジ１５（図１参照。）を矢印１０ａ（図１参照。）で示す主走査方向に移動させるためのキャリッジ駆動装置６４と、上述したプレヒーター２２、プリントヒーター３２、アフターヒーター４２およびファン３３と、インクジェットプリンター１０全体を制御する制御部６５とを備えている。
【００４８】
制御部６５は、例えば、ＣＰＵ（Ｃｅｎｔｒａｌ  Ｐｒｏｃｅｓｓｉｎｇ  Ｕｎｉｔ）と、プログラムおよび各種のデータを予め記憶しているＲＯＭ（Ｒｅａｄ  Ｏｎｌｙ  Ｍｅｍｏｒｙ）と、ＣＰＵの作業領域として用いられるＲＡＭ（Ｒａｎｄｏｍ  Ａｃｃｅｓｓ  Ｍｅｍｏｒｙ）とを備えている。ＣＰＵは、ＲＯＭに記憶されているプログラムを実行するようになっている。
【００４９】
次に、インクジェットプリンター１０の動作について説明する。
【００５０】
図７は、記録媒体９０を搬送している状態でのインクジェットプリンター１０のプリントプラテン３１の近傍の部分の正面断面図である。図８は、記録媒体９０を搬送している状態でのインクジェットプリンター１０のプリントプラテン３１の近傍の部分の平面図である。
【００５１】
利用者は、図７および図８に示すように、矢印１０ａで示す主走査方向における記録媒体９０の幅に応じて、プリントプラテン３１に対するガイド部材３７の位置を調整することができる。
【００５２】
そして、利用者は、ＰＣなどのコンピューターからインクジェットプリンター１０に印刷データを送信することができる。
【００５３】
インクジェットプリンター１０の制御部６５は、通信部６３を介して印刷データを受信すると、プレヒーター２２、プリントヒーター３２、アフターヒーター４２およびファン３３を駆動させるとともに、搬送装置１２による記録ヘッド１６に対する記録媒体９０の矢印１０ｂで示す副走査方向における搬送と、キャリッジ駆動装置６４による矢印１０ａで示す主走査方向におけるキャリッジ１５の移動による記録媒体９０に対する記録ヘッド１６の主走査方向における移動と、記録ヘッド１６による記録媒体９０へのインクの吐出とを、通信部６３を介して受信した印刷データに基づいて実行することによって、この印刷データに基づいた画像を記録媒体９０に印刷する。
【００５４】
ここで、記録ヘッド１６によって吐出されて記録媒体９０に付着されたインクは、上述したように、プレヒーター２２、プリントヒーター３２およびアフターヒーター４２によって生成された熱によって記録媒体９０上で早期および確実に乾燥させられて滲みが抑えられる。したがって、インクジェットプリンター１０は、記録媒体９０上にインクによって画像を高画質で形成することができる。
【００５５】
また、搬送装置１２によって矢印１０ｃで示す搬送方向に搬送されている記録媒体９０は、ファン３３によって生成された気体の流れによるプリントプラテン３１の複数の貫通孔３１ｂを介した吸引力によって、プリントプラテン３１の支持面３１ａに吸引されて浮き上がりが抑えられる。したがって、インクジェットプリンター１０は、プリントプラテン３１の支持面３１ａに対向する位置に配置されている記録ヘッド１６によって記録媒体９０に向けて吐出されるインクによって、記録媒体９０上に高画質の画像を形成することができる。
【００５６】
以上に説明したように、インクジェットプリンター１０は、プリントプラテン３１の支持面３１ａのうち記録媒体９０が支持されていない部分（以下「媒体不支持部分」と言う。）がシート３４によって覆われることによって媒体不支持部分の貫通孔３１ｂを遮蔽することが可能であるので、気体がファン３３によって媒体不支持部分の貫通孔３１ｂを流通させられることを抑えることができる。したがって、インクジェットプリンター１０は、気体がファン３３によって媒体不支持部分の貫通孔３１ｂを流通させられることによるプリントプラテン３１の冷却を抑えることができ、結果として、プリントヒーター３２によるプリントプラテン３１の加熱の効率を従来より向上することができる。
【００５７】
なお、インクジェットプリンター１０は、仮に気体がファン３３によって媒体不支持部分の貫通孔３１ｂを流通させられることによってプリントプラテン３１が冷却される場合、プリントプラテン３１を適切な温度に加熱するために、プリントヒーター３２の温度を上昇させる必要がある。しかしながら、インクジェットプリンター１０は、上述したように、気体がファン３３によって媒体不支持部分の貫通孔３１ｂを流通させられることによるプリントプラテン３１の冷却を抑えることができるので、このようなプリントヒーター３２の温度の上昇が必要ない。すなわち、インクジェットプリンター１０は、不要なエネルギーの消費を抑えることができる。
【００５８】
また、インクジェットプリンター１０は、気体がファン３３によって媒体不支持部分の貫通孔３１ｂを流通させられることをシート３４によって抑えることができるので、気体がファン３３によって媒体不支持部分の貫通孔３１ｂを流通させられる構成と比較して、ファン３３によって生成された気体の流れによるプリントプラテン３１の複数の貫通孔３１ｂを介した記録媒体９０に対する吸引力を向上することができ、結果として、記録媒体９０上にインクによって形成した画像の画質を向上することができる。
【００５９】
インクジェットプリンター１０は、プリントプラテン３１の支持面３１ａ側から貫通孔３１ｂに入った気体が貫通孔３１ｂから出る場合に気体が通る空間３０ａ内にプリントヒーター３２が配置されているので、プリントプラテン３１の支持面３１ａ側から貫通孔３１ｂに入って貫通孔３１ｂから出た気体がプリントヒーター３２の近傍を通ることによって、プリントヒーター３２自体が気体によって冷却され易い。したがって、インクジェットプリンター１０は、空間３０ａ内にプリントヒーター３２が配置されていない構成と比較して、プリントヒーター３２によるプリントプラテン３１の加熱の効率の向上の利益が大きい。
【００６０】
なお、インクジェットプリンター１０は、空間３０ａ内にプリントヒーター３２が配置されていない構成であっても良い。
【００６１】
インクジェットプリンター１０は、プリントプラテン３１に対してシート３４が移動する場合にシート３４が巻き取られるので、シート３４が巻き取られないでプリントプラテン３１に対して移動する構成と比較して、シート３４を収納するための空間を小型化することができ、結果として、インクジェットプリンター１０全体としても小型化することができる。
【００６２】
なお、インクジェットプリンター１０は、シート３４が巻き取られないでプリントプラテン３１に対して移動する構成であっても良い。
【００６３】
インクジェットプリンター１０は、プリントプラテン３１に対するガイド部材３７の位置が変更されるだけでゼンマイばね３６の付勢力によってローラー３５にシート３４を自動的に巻き取らせることができるので、利用者がローラー３５にシート３４を手作業で巻き取らせる構成と比較して、利用者の負担を抑えることができる。
【００６４】
なお、インクジェットプリンター１０は、利用者がローラー３５にシート３４を手作業で巻き取らせる構成であっても良い。
【００６５】
インクジェットプリンター１０は、シート３４をプリントプラテン３１に対して固定する機能と、記録媒体９０の搬送をガイドする機能との両方をガイド部材３７が備えているので、記録媒体９０の搬送をガイド部材３７にガイドさせるために記録媒体９０の幅に合わせてガイド部材３７がプリントプラテン３１に対して固定されるだけで、プリントヒーター３２によるプリントプラテン３１の加熱の効率をシート３４によって向上することができる。
【００６６】
なお、インクジェットプリンター１０は、シート３４をプリントプラテン３１に対して固定する機能と、記録媒体９０の搬送をガイドする機能とがそれぞれ別々の部材によって実現されるようになっていても良い。
【００６７】
インクジェットプリンター１０は、本実施の形態において、プリントプラテン３１に対して記録媒体９０が移動させられる構成であるが、所謂フラットベッド型のインクジェットプリンターのように、プリントプラテン３１に対して記録媒体９０が移動させられずに、記録ヘッド１６が矢印１０ｂで示す副走査方向にも移動させられる構成であっても良い。
【符号の説明】
【００６８】
１０  インクジェットプリンター
１６  記録ヘッド
３０ａ  空間（気体が通る空間）
３１  プリントプラテン（プラテン）
３１ａ  支持面
３１ｂ  貫通孔
３２  プリントヒーター（ヒーター）
３３  ファン
３４  シート
３５  ローラー（巻取部材）
３６  ゼンマイばね（付勢部材）
３７  ガイド部材（固定部材）
９０  記録媒体
【図１】
2015074090.tif 000003
【図２】
2015074090.tif 000004
【図３】
2015074090.tif 000005
【図４】
2015074090.tif 000006
【図５】
2015074090.tif 000007
【図６】
2015074090.tif 000008
【図７】
2015074090.tif 000009
【図８】
2015074090.tif 000010